(57)【特許請求の範囲】
【請求項１】
基板加工チャンバ内において、半導体基板の上に配置された導電層を貫いてエッチングすることによって、導電層の下に配置した絶縁層内のビアであって、導電プラグと、導電プラグとビアの内壁との間に配置された層とを有するビアの上に配置される導電機構を形成する方法であって、
前記ビアの直径より狭い幅を有する、前記導電機構の頂部を形成するために、第１のエッチ・レシピを使用して前記導電層を少なくとも部分的に貫いてエッチングする工程と、
その後、少なくとも前記ビアの直径と同じ大きさの幅を有する、前記導電機構の底部及び前記ビアの間の界面における前記導電機構の底部を形成するために、前記第１のエッチ・レシピとは異なる第２のエッチ・レシピを使用して前記導電層の残りの厚さを少なくとも部分的に貫いてエッチングする工程と
を有し、前記底部は前記頂部の下に配置され、傾斜エッチ・フットを前記導電機構の底部内に形成すべく前記第２のエッチ・レシピは調製されている方法。
【請求項２】
請求項１に記載の方法において、前記第１のエッチ・レシピは前記第２のエッチ・レシピで達成されるエッチ速度より高いエッチ速度を前記導電層全体にわたって達成すべく調製されている方法。
【請求項３】
請求項１または２に記載の方法において、前記第１のエッチ・レシピはエッチ速度を前記導電層全体にわたって最大にすべく調製されている方法。
【請求項４】
請求項１ないし３のいずれかに記載の方法において、前記基板加工チャンバはプラズマ加工チャンバに相当する方法。
【請求項５】
請求項１ないし４のいずれかに記載の方法において、前記プラズマ加工チャンバはトランスフォーマ・カップルド・プラズマ・エッチ・チャンバに相当する方法。
【請求項６】
請求項１ないし５のいずれかに記載の方法において、前記導電機構は塩素含有ガスを使用してエッチングする方法。
【請求項７】
請求項１ないし５のいずれかに記載の方法において、前記導電機構はフッ素含有ガスを使用してエッチングする方法。
【請求項８】
請求項５ないし７のいずれかに記載の方法において、前記トランスフォーマ・カップルド・プラズマ・エッチ・チャンバは前記基板の下に配置された下側電極を有し、前記導電機構の底部をエッチングする間における前記下側電極のＤＣバイアスは、前記導電機構の頂部を形成する間における前記下側電極のＤＣバイアスより高い方法。
【請求項９】
請求項１ないし８のいずれかに記載の方法において、前記導電機構の底部をエッチングする間における前記基板の温度は、前記導電機構の頂部を形成する間における前記基板の温度より低く維持される方法。
【請求項１０】
請求項１ないし９のいずれかに記載の方法において、前記導電プラグはチタンを含む方法。
【請求項１１】
請求項１から１０のいずれかに記載の方法において、前記導電プラグは下に横たわる導電機構へ電気的に接触しており、前記下に横たわる導電機構は前記絶縁層の下に位置する方法。
【請求項１２】
請求項１ないし１１のいずれかに記載の方法において、前記半導体基板は集積回路の製造に使用する半導体基板に相当する方法。
【請求項１３】
半導体基板上に設けられた部品を有する集積回路であって、
前記半導体基板の上に配置された第１の導電層からエッチングによって形成された第１の導電機構と、
前記第１の導電機構の上に配置され、かつ、ビアを内部に有する絶縁層と、
前記ビア内に配置され、かつ、前記第１の導電機構へ電気的に接続されている導電プラグと、
前記導電プラグ及び前記ビアの内壁の間に配置された層と、
前記絶縁層の上に配置された第２の導電層からエッチングによって形成され、かつ、前記ビアの上に配置された第２の導電機構と
を有し、前記第２の導電機構は、前記ビア内に配置された導電プラグへ電気的に接続され、かつ、
第１のエッチ・プロフィール及び前記ビアの直径より狭い第１の幅を有する頂部と、
前記第１のエッチ・プロフィールとは異なる第２のエッチ・プロフィール及び前記ビアの直径より広い第２の幅を備え、かつ、前記頂部の下に配置された底部と
を有する集積回路。
【請求項１４】
請求項１３に記載の集積回路において、前記導電プラグはタングステンを含む集積回路。
【請求項１５】
請求項１３または１４に記載の集積回路において、前記第１のエッチ・プロフィールは前記第２のエッチ・プロフィールより異方性が高い集積回路。
【請求項１６】
プラズマ加工チャンバ内において、上に横たわる導電層から上に横たわる導電機構を形成する間、下に横たわる導電機構への損傷を防止する方法であって、前記上に横たわる導電層は絶縁層によって前記下に横たわる導電機構から分離されており、前記絶縁層はビア内に配置された導電プラグを有し、前記導電プラグは前記上に横たわる導電機構及び前記下に横たわる導電層を前記絶縁層を貫いて互いに接続し、前記ビアは前記導電プラグとビアの内壁との間に配置された層を有し、前記方法において、
前記ビアの直径より狭い第１の幅を有する頂部を形成するために、第１のエッチ・レシピを使用して前記上に横たわる導電層を少なくとも部分的に貫いてエッチングする工程と、
前記第１の幅及び前記ビアの直径のいずれよりも大きい第２の幅を有する前記上に横たわる導電機構の底部を形成するために、前記第１のエッチ・レシピとは異なる第２のエッチ・レシピを使用して前記上に横たわる導電層の残りの厚さを少なくとも部分的に貫いてエッチングする工程と
を含む方法。
【請求項１７】
請求項１６に記載の方法において、前記第１のエッチ・レシピは前記第２のエッチ・レシピより高い速度でエッチングすべく調製されている方法。
【請求項１８】
請求項１６または１７に記載の方法において、前記頂部は前記底部より異方性が高い方法。
【請求項１９】
請求項１６ないし１８のいずれかに記載の方法において、前記上に横たわる導電層は前記下に横たわる導電層との間に配置されるバリア層を含み、前記第１のエッチ・レシピ及び第２のエッチ・レシピとは異なる第３のエッチ・レシピを使用することによって、前記バリア層を貫いてエッチングする工程をさらに含む方法。
【請求項２０】
請求項１６ないし１９のいずれかに記載の方法において、前記上に横たわる導電層の前記残りの厚さを貫いてエッチングした後、オーバーエッチを実施する工程を含む方法。
【発明の詳細な説明】
発明の背景
本発明は半導体デバイスの製造に関する。より詳細には、本発明は半導体デバイスの製造中に積層体のうちの導電層を貫いてエッチングする方法及び装置に関する。
一般的に、半導体集積回路（ＩＣ）またはフラット・パネル・ディスプレイなどの半導体デバイスの製造では、部品トランジスタなどの複数のデバイスをシリコン・ウェハまたはガラス・パネルなどの基板上に形成する。次いで、所望の回路を形成すべくこれら複数のデバイスを互いに接続するために、基板上に位置するメタライゼーション層からエッチングによって形成された金属線などの導電性相互接続線を使用する。メタライゼーション層はアルミニウムまたはその合金の一種などを含むことが可能であり、この合金は銅またはシリコンを含み得る。
一部の回路では、相互接続要件を満たすために、複数の導電層を必要とし得る。一般的に、これらの導電層は酸化物中間層などの絶縁層によって互いに分離されている。２つの導電層にそれぞれ設けられた２つの導電機構、即ち、導電線の間の電気的接続を望む場合、前記の絶縁を提供する誘電体中間層を貫通する電気的パスを２つの導電機構の間に提供するために、導電プラグを使用し得る。
説明を容易にするために、図１は一般的な半導体デバイスの製造中に形成される複数の層に相当する積層体１０の断面を示す。図１及び他の図面において、複数の層は例示を目的とするのみであり、図示する複数の層の上、下、または間に別の層が存在し得る点に注意する必要がある。更に、図示する全ての層が存在する必要はなく、当業者が一般的に有する知識を使用して、これらの層のうちの幾つかまたは全てを別の層と置換し得る。
積層体１０の底部には、シリコン・ウェハまたはガラス・パネルなどに相当する基板１００が表示されている。第１の導電層１０２は基板１００上に設けられている。導電層１０２を所望の形状にパターン化（例えば、従来のフォトレジスト・プロセスを使用）した後、ＳｉＯ2などを含む絶縁層１０４を導電層１０２の上に形成する。
従来のエッチング・プロセスなどを使用して、ビア１１２を絶縁層１０４内に形成する。導電層１０２内の選択された導電機構と、後から堆積させる導電層１０６内の選択された導電機構とを互いに電気的に接続可能にするために、導電プラグ１１４をビア１１２内に形成する。当業者に周知であるように、導電プラグ１１４はタングステンまたはその合金の一種を含み得る。タングステンを導電プラグ材料として使用する場合、絶縁層１０４内のビア１１２の壁に対する導電プラグ１１４の更に確実な接合を製造プロセス中及び使用中に可能にするために、接合層１１６（図１の例では、ビア１１２の内部を覆う環状リングの形態をなす）を使用することが多い。
次いで、導電層１０６を絶縁層１０４上に設け得る。導電層１０６はバリア層１０８を含み得る。一般的に、バリア層１０８はＴｉ、ＴｉＷ、ＴｉＮまたは任意の他の適切なバリア材料を含む。任意にて、バリア層１０８を絶縁層１０４及び後から堆積させる相互接続層１１０の間に配置し得る。バリア層１０８を設けた場合、シリコン原子が絶縁層１０４から相互接続層１１０内へ拡散することを、バリア層１０８は防止する。同様に、別のバリア層を導電層１０２及び絶縁層１０４の間に設け得る。一般的に、相互接続層１１０は銅、アルミニウムまたは周知のアルミニウム合金の一種（例：Ａｌ−Ｃｕ、Ａｌ−ＳｉまたはＡｌ−Ｃｕ−Ｓｉ）を含む。
ビア１１２内の接合層１１６はバリア層１０８に使用する材料と同じ材料若しくは類似する材料（例：Ｔｉ、ＴｉＷまたはＴｉＮ）または同様に適する他の接合材料を含み得る。積層体１０の複数の層及び複数の機構を当業者は容易に理解できる。更に、化学蒸着法（chemical vapor deposition、略して、ＣＶＤ）と、プラズマ強化化学蒸着法（Plasma-enhanced chemical vapor deposition、略して、ＰＥＣＶＤ）と、スパッタリング、ウェット・エッチング及びプラズマ強化エッチングのうちの少なくともいずれか１つに代表される物理蒸着法（physical vapor deposition、略して、ＰＶＤ）とを含む適切な周知の多数の堆積プロセス及びエッチング・プロセスのうちの任意の１つを使用して、積層体１０の複数の層及び複数の機構を形成できる。
次いで、所望の線パターンを導電層１０６内へエッチングするために、上に横たわるフォトレジスト（ＰＲ）層１１８を、ブランケット堆積された導電層１０６の頂面に形成する。そして、下に横たわる導電層１０６のエッチングを促進するために、フォトレジスト層１１８をパターン化し得る（例えば、従来のフォトレジスト技術を通じてパターン化する）。例えば、この種のフォトレジスト技術の１つは、コンタクト・リソグラフィ・システムまたはステッパ・リソグラフィ・システムへのフォトレジスト材料の露出によるフォトレジスト層１１８のパターニングと、次のエッチングを促進すべくマスクを形成するためのフォトレジスト材料の現像とを含む。適切なエッチャントを使用することにより、マスクによって保護されていない導電層の領域をエッチングして除去する。これによって、導電性相互接続線、即ち、導電性相互接続機構が後に残される。
更に高い回路密度を実現するために、最近の半導体デバイスは更に細いデザイン・ルールでスケール化されている。この結果、機構サイズ、即ち、導電性相互接続機構の幅または互いに隣接する複数の導電機構間の空間（例：トレンチ）は着実に狭くなっている。例えば、約０．８ミクロン（μｍ）の線幅は４メガビット（Ｍｂ）ダイナミック・ランダム・アクセス・メモリ（ＤＲＡＭ）ＩＣでは許容可能と考えられるが、２５６ＭｂＤＲＡＭＩＣは０．２５ミクロン以下の幅の相互接続線を使用することが好ましい。
十分な電気的接続を保証すべく、上に横たわる導電層（例：導電層１０６）内のエッチングによって形成された導電機構をビア１１２へ整合させることは、機構サイズが小さくなるにしたがって困難になってきている。例えば、製造プロセスにおける公差に起因して、導電層１０６からエッチングによって形成された上側に横たわる導電線がビア１１２へある程度整合しなくなることがある。これによって、導電層１０６から所望の導電線をエッチングによって形成するために使用するエッチ・プロセスに対して、接合層１１６の一部が露出される。
これを示すために、図２は導電層１０６を従来のエッチ・プロセスでエッチングした後の図１の積層体１０を示す。図２の例では、機構２０２は、導電層１０６からエッチングによって形成され、かつ、紙面に直交する方向（即ち、紙面を貫通する方向）に延びる導電線などを示す。機構２０６は、導電層１０２からエッチングによって形成され、かつ、機構２０２へ直交する方向（即ち、図の左右方向）に延びる導電線などを示す。
図２において、導電機構２０２はビア１１２の中心に対して水平方向に変位している（例えば、製造プロセスにおける公差に起因する）。この結果、導電機構２０２を形成すべく導電層１０６を貫くエッチングに使用するエッチ・プロセスに対して、接合層１１６の左部分が露出される。前記のように、接合層１１６はバリア層１０８に使用する材料に類似する材料を一般的に含むため、この接合層１１６は、導電層１０６を貫通するエッチングに使用するエッチャントに対して同様に反応する。この結果、接合層１１６の一部が意図せずにエッチングされ、絶縁層１０４内におけるプラグ１１４及びビア１１２の壁の間の接合が弱くなり得る。
一部のケースでは、接合層１１６の一部を導電層オーバーエッチ工程等で導電層エッチ・プロセスへ不適切に露出させることにより、エッチャント材料の一部は、損傷した接合層に沿って下に横たわる導電層１０２内へ浸透し得る。この結果、下に横たわる導電層機構２０６の一部は導電層エッチャント材料へ意図することなく露出され、かつ意図することなくエッチングされる。下に横たわる導電層１０２内に位置する導電機構２０６の損傷部分は図２の例の損傷部分２０４として象徴的に示す。下に横たわる導電機構２０６内の十分な量の導電材料が損傷した場合、電流を流す前または後に意図しない断線が生じ得る。当業者が理解するように、この接合層１１６及び下に横たわる導電層１０２内の機構の意図しないエッチングは、回路の信頼性及び歩留まりを低減し得るので望ましくない。
これらの事情に鑑みて、下に横たわる導電機構及びビア内の接合層の少なくともいずれか一方の意図しない損傷を、上に横たわる導電層内の導電機構のエッチング中に最小限に抑制する改善された技術が望まれる。
発明の概要
１つの実施形態において、本発明は基板加工チャンバ内において、半導体基板の上に配置された導電層を貫いてエッチングすることによって導電機構を形成する方法に関する。導電機構の頂部を形成するために、第１のエッチ・レシピを使用して導電層を少なくとも部分的に貫いてエッチングする工程を、この方法は含む。その後、導電機構の底部を形成するために、第１のエッチ・レシピとは異なる第２のエッチ・レシピを使用して導電層の残りの厚さを少なくとも部分的に貫いてエッチングする工程を、この方法はさらに含む。底部は頂部の下に配置されている。傾斜エッチ・フットを導電機構の底部内に形成すべく第２のエッチ・レシピは調製されている。
別の実施形態では、本発明は半導体基板上に設けられた部品を有する集積回路に関する。半導体基板の上に配置された第１の導電層からエッチングによって形成された第１の導電機構を、集積回路は有する。更に、集積回路は第１の導電機構の上に配置された絶縁層を有する。絶縁層はビアを内部に有する。
更に、集積回路はビア内に配置された導電プラグを有する。導電プラグは第１の導電機構へ電気的に接続されている。集積回路はビアの上に配置された第２の導電機構をさらに有する。第２の導電機構は絶縁層の上に配置された第２の導電層からエッチングによって形成されている。第２の導電機構は、ビア内に配置された導電プラグへ電気的に接続され、かつ、第１のエッチ・プロフィール及び第１の幅を有する頂部と、頂部の下に配置された底部とを含む。第１のエッチ・プロフィールとは異なる第２のエッチ・プロフィール及び第１の幅より広い第２の幅を、底部は有する。
さらに別の実施形態では、本発明は、プラズマ加工チャンバ内において、上に横たわる導電層から上に横たわる導電機構を形成する間、下に横たわる導電機構への損傷を防止する方法に関する。上に横たわる導電層は絶縁層によって下に横たわる導電機構から分離されており、絶縁層はビア内に配置された導電プラグを有する。導電プラグは上に横たわる導電機構及び下に横たわる導電層を絶縁層を貫いて互いに接続している。
頂部を形成するために、第１のエッチ・レシピを使用して上に横たわる導電層を少なくとも部分的に貫いてエッチングする工程を、この方法は有する。頂部は第１の幅を有する。更に、上に横たわる導電機構の底部を形成するために、第１のエッチ・レシピとは異なる第２のエッチ・レシピを使用して上に横たわる導電層の残りの厚さを少なくとも部分的に貫いてエッチングする工程を、この方法は有する。底部は第１の幅及びビアの直径のいずれよりも大きい第２の幅を有する。
本発明の前記の効果を含む効果は以下の詳細な説明を読み、かつ、複数の図面を研究することによって明らかになる。
【図面の簡単な説明】
図１は一般的な半導体デバイスの製造中に形成される複数の層に相当する積層体の断面図である。
図２は導電層を従来のエッチ・プロセスでエッチングした後の図１の積層体を示す断面図である。
図３は本発明のエッチ技術との併用に適するエッチング反応装置に相当するＴＣＰ（商標）９６００ＳＥプラズマ反応装置の概略図である。
図４は本発明の１つの実施形態に基づくエッチ技術で形成した傾斜エッチ・フットを含む導電機構を示す断面図である。
図５は傾斜エッチ・フットを形成するための本発明の１つの実施形態に基づくエッチ技術を示すフローチャートである。
図６はバルク・エッチ工程後に残された導電層の一部を、２つのエッチ工程でエッチングする本発明の１つの実施形態を示すフローチャートである。
図７はバルク・エッチ工程後に残された導電層の一部を、３つのエッチ工程でエッチングする本発明の１つの実施形態を示すフローチャートである。
好ましい実施形態の詳細な説明
添付図面に示す本発明の幾つかの好ましい実施形態に関連して、本発明を以下に詳述する。以下の説明において、多くの詳細部分は本発明の完全な理解の提供を目的として開示する。しかしながら、これらの詳細部分の幾つかまたは全てを削除した状態で、本発明を実施できることは当業者にとって明白である。別の例では、本発明を不必要に不明確にしないために、周知のプロセス工程の詳細を説明しない。
本発明の１つの態様では、導電層を少なくとも２つの工程でエッチングすることによって、前記の歩留まりの減少の問題を軽減する。第１の導電層エッチ工程では、高いエッチ速度（これにより高いウェハ・スループットを実現）及び実質的な異方性エッチ作用の少なくともいずれか一方を達成するために、導電層をバルク・エッチ・レシピでエッチングすることが好ましい。第２の導電層エッチ工程では、傾斜エッチ・フットを出来上がった導電機構内に形成すべく調製したエッチ・レシピによって、導電層の残りの厚さをエッチングする。
エッチングされた導電機構が製造プロセスにおける公差などの原因によってビアと整合していない場合、導電層のうちの異方性の更に高いエッチングを施した部分（バルク導電層エッチ工程、即ち、第１のエッチ工程で形成された部分）より大きい断面を有する傾斜エッチ・フットは、ビア内の損傷しやすい接合層へさらに効果的に重なり得る。関連するデザイン・ルールの増大を要することなく、即ち、更に幅の広いフォトレジスト・マスク機構を指定することによって更に厚い導電機構をバルク・エッチ工程中にエッチングすることを要することなく、これによって、本発明は下に横たわるビア接合層及び下に横たわる導電層内の機構のさらに強力な保護を効果的に促進する。
ドライ・エッチング、プラズマ・エッチング、反応性イオン・エッチング（reactive ion etching、略して、ＲＩＥ）、磁気強化反応性イオン・エッチング（magnetically enhanced reactive ion etching、略して、ＭＥＲＩＥ）または電子サイクロトロン共鳴（electron cyclotron resonance、略して、ＥＣＲ）などに適合したプラズマ加工装置を含む従来の任意のプラズマ加工装置において、本発明の導電層エッチ技術を実施できる。ドライ・エッチングに適合した一般的なプラズマ加工チャンバでは、更に精巧に作り上げるために、ウェハをプラズマで処理する。プロセス・エッチャント・ソース・ガスをチャンバ内部へ供給する入口ポートを、チャンバは含む。プラズマをエッチャント・ソース・ガスから形成するために、適切なＲＦエネルギー源をチャンバに関連した電極へ加える。周知のように、プラズマを維持するために、エネルギー自体を誘導結合または容量結合し得る。次いで、ウェハ積層体と反応させ、かつ、ウェハ積層体のうちのプラズマの当たる領域でエッチングするために、化学種をエッチャント・ソース・ガスから形成する。そして、揮発性の副産物を出口ポートを通じて排気する。
プラズマ・エッチングはウェハをその加工中に陽極、即ち、接地電極上へ配置する場面に関連している。その一方、反応性イオン・エッチング（ＲＩＥ）はウェハをその加工中に陰極、即ち、電源電極上へ配置する場面に関連している。磁気強化反応性イオン・エッチング（ＭＥＲＩＥ）はＲＩＥ反応装置構造へ変更を加えたものであり、エネルギーを持つ電子が反応装置壁面に奪われることを低減するために、磁界を加える。電極からプラズマ内の電子に対するエネルギー伝達の効率を、ＭＥＲＩＥ反応装置が特定の条件下で高め得ることが確認されている。
前記の複数の反応装置及び他の適切なプラズマ加工反応装置のうちの任意の１つで、本発明を実施できることが予想される。容量結合された複数の平行電極板と、ＥＣＲマイクロ波プラズマ・ソースと、ヘリコン、ヘリカル・リゾネータ及びトランス結合プラズマ（これがプレーナ・プラズマであるか否かは関係無い）などの誘電結合されたＲＦ源とのうちのどれを介して、エネルギーをプラズマへ伝播するかとは無関係に、前記の事柄は事実である。数ある中で、ＥＣＲ加工システム及びＴＣＰ（トランス結合プラズマ，transformer coupled plasma：商標）加工システムは商業的に簡単に入手できる。ＴＣＰ（商標）システムは例えばカリフォルニア州フリーモントに所在するラム・リサーチ・コーポレイションから入手可能である。
前記のように、従来の任意の適切なプラズマ加工システムを効果的に使用できる。しかし、好ましい実施形態では、本発明をラム・リサーチ・コーポレイションから入手可能なＴＣＰ（商標）９６００ＳＥプラズマ反応装置内で使用する。図３は、基板３５０を含むＴＣＰ（商標）９６００ＳＥプラズマ反応装置の概略と、基板３５０を本発明のエッチ・プロセスに基づいてエッチングし、次いで、従来のポストエッチ工程で加工した後、この基板３５０からカットしたダイから形成した典型的な集積回路チップ３５２とを示す。説明を簡単にするために、ＩＣウェハを１つの例として使用しているが、本発明のエッチ・プロセスは任意の基板（例：フラット・ディスプレイ・パネル）のエッチングに適用できる点に注意する必要がある。
図３において、反応装置３００はプラズマ加工チャンバ３０２を有する。電極（図３の例では、この電極はコイルからなる）３０３がチャンバ３０２の上側に配置されている。電圧をＲＦジェネレータ３０５からマッチング・ネットワーク（図３における図示略）を通じてコイル３０３へ印加する。
チャンバ３０２内には、シャワー・ヘッド３０４が設けられている。シャワー・ヘッド３０４は、ガス状ソース材料（例：エッチャント・ソース・ガス）をシャワー・ヘッド３０４及び基板３５０の間のＲＦ誘導プラズマ領域内へ放出するための複数の孔を有することが好ましい。ガス状ソース材料はチャンバ自体の壁に設けられたポートまたはチャンバ内に配置したガス・リング（環状をなし得る）からも放出し得る。基板３５０をチャンバ３０２内へ挿入し、かつ、チャック３１０上へ配置する。チャック３１０は第２の電極として機能する。そして、（一般的には、マッチング・ネットワークを通じて）高周波ジェネレータ３２０によってチャック３１０へバイアスをかけることが好ましい。
均一であって、かつ、反復可能なエッチング結果を保証するために、加工中の基板の温度を正確に制御するための伝熱媒体として機能させるべく、ヘリウム冷却ガスをチャック３１０及び基板３５０の間に加圧下で案内する。プラズマ・エッチング中、チャンバ３０２内の圧力はガスをポート３６０を通じて逃がすことによって制御できる。エッチングのための適切なチャンバ温度を維持するために、複数のヒーター（図解を簡単にするために図３では省略してある）が備えられ得る。接地への電気的パスを提供するために、一般的には、チャンバ３０２のチャンバ壁は接地される。
前記のように、エッチングされた導電機構内に傾斜エッチ・フットを意図的に形成することによって、酸化物層内の導電プラグ及びビアの壁の間に位置する接合層に対する損傷（この損傷は図２の機構２０６などの下に横たわる金属層内の機構の損傷を招来し得る）は、本発明の１つの態様に基づいて効果的に減少する。導電層が絶縁層と交わるポイントに位置するエッチングされた導電機構の傾斜エッチ・フットの更に大きなフットプリントにより、この傾斜エッチ・フットは、公差による不整合がエッチングされた導電機構及びその下に横たわる絶縁層内のビアの間に生じた場合にも、エッチングされた導電機構が更に完全にビアに重なる確率を効果的に増大する。従って、上に横たわる導電層をエッチングするために使用するエッチ・プロセスに対して、ビア内の接合層の環状リングの領域が露出される確率は効果的に最小限に抑制される。これに付随して、接合層及び下に横たわる導電層機構の少なくともいずれか一方が損傷する確率も最小限に抑制される。
導電機構傾斜エッチ・フットを意図的に形成する目立たないエッチング工程をバルク・エッチ工程後に実施することにより、本発明の導電層エッチ技術は接合層及び下に横たわる導電機構の少なくともいずれか一方を損傷する可能性を１つの実施形態において減少する。この傾斜エッチ・フットの意図的な導入は、エッチ機構全体にわたる異方性の更に高いエッチングの実現、即ち、エッチングされた機構の頂面から底面まで達する実質的に垂直な側壁の実現を試みる最近のエッチ・デザインにおける努力とは相反するものである。
前記のように、垂直エッチ側壁の実現を試みる現代のエッチ・プロセスにおいて一般的に望まれない傾斜エッチ・フットは、導電機構の頂部の拡大を要することなく本ケースにおける接合層の保護を効果的に高める。導電機構の頂部の寸法が変更されていないため、導電機構を上に横たわる導電層からエッチングによって作り出すことを促進すべくパターン化されたフォトレジスト機構は、既存のフォトレジスト・パターニング・ツールを使用することによって依然としてパターン化可能である。都合の良いことに、本発明の改善された歩留まりを達成するために、フォトレジスト・パターニング・ツール及びフォトレジスト・パターンのうちの少なくともいずれか一方の変更は必要ない。
本発明の特徴及び効果の説明を容易にするために、図４は本発明の１つの実施形態に基づく導電機構４０２を示す。この導電機構４０２は本発明のエッチ技術に基づいて形成された傾斜エッチ・フットを含む。図４において、基板１００、下に横たわる導電層１０２、絶縁層１０４、バリア層１０８、プラグ１１４及び接合層１１６は図１及び図２に同じ符号で示す構造と実質的に類似している。その上に配置したままのパターン化されたフォトレジスト部分１１８と一緒に示す導電機構４０２は、傾斜フット部分４０４（ａ），４０４（ｂ）を含む。
図４に示すように、導電機構４０２の頂部４０６は、パターン化されたフォトレジスト部分１１８の幅によって決定される幅ｄ１を有する。都合の良いことに、幅ｄ１を有する機構を含むフォトレジスト・マスクは、従来のフォトレジスト・パターニング・ツール及びフォトレジスト・デザイン・ルールの少なくともいずれか一方を使用して形成できる。例えば、幅ｄ１は導電機構４０２をその上に配置されるビアの直径より狭くできる（但し、これは必ずしも必要ではない）。高いエッチ速度及び実質的に垂直な側壁の少なくともいずれか一方を実現するために最適化したエッチ・プロセスを好ましくは使用して、バルクエッチングした導電層の部分を、頂部４０６は表している。
接合層１１６及び下に横たわる導電層１０２内の機構の少なくともいずれか一方に対する更に強力な保護を提供するために、バリア層１０８の少なくとも一部を有する導電機構４０２の底部４０８は、幅ｄ１より効果的に広い幅ｄ２を有する。底部４０８は頂部のエッチ・プロフィールと異なるエッチ・プロフィールを有することが好ましい。例えば、１つの実施形態において、頂部は実質的な異方性エッチ・プロフィールを有する一方、第２のエッチ・プロフィールは更に大きな傾斜を有するフットプリント、即ち、更に拡大したフットプリントを有する。
１つの実施形態では、幅ｄ２は導電機構４０２をその上に配置するビアの直径より大きいことが好ましい。但し、幅ｄ２は互いに隣接する複数の機構を互いに短絡させる大きさを有してはならない。幅ｄ１，ｄ２の正確な大きさはデバイス間及びプロセス間で異なり得る。図示するように、導電機構４０２がパターニング及び製造プロセスのうちの少なくともいずれか一方の公差などに起因して絶縁層１０４内のビアに対して整合していない場合でも、接合層１１６の保護は底部４０８（底部４０８の傾斜フット部分４０４（ａ），４０４（ｂ）を使用することにより）によって更に効果的に提供できる。
前記のように、導電機構４０２の底部４０８はバリア層１０８の少なくとも一部を含み得る。勿論、導電層がバリア層を必要としない場合、底部４０８は導電層全体の一部に相当し得る。１つの実施形態では、バリア層１０８を提供する場合、頂部４０６を形成するバルク・エッチ工程は、相互接続層１１０及びバリア層１０８の間の界面へ到達する前に終了する。換言するならば、底部４０８は相互接続層１１０の少なくとも一部及びバリア層１０８の全体を含み得る。別の実施形態では、底部４０８はバリア層１０８のみを含む。即ち、頂部４０６を形成するバルク・エッチ工程は相互接続層１１０及びバリア層１０８の間の界面で終了する。更に別の実施形態では、底部４０８はバリア層１０８の一部のみを含み得る。即ち、頂部４０６を形成するバルク・エッチ工程は相互接続層１１０及びバリア層１０８の間の界面を越えてバリア層の少なくとも一部へ達するまで継続する。バルク・エッチの正確な深度（及びこれに付随する底部４０８の正確な厚さ）は、傾斜部分４０２（ａ）及び４０２（ｂ）の少なくともいずれか一方の所望の幅ｄ２及び傾斜度に基づくことを理解する必要がある。
１つの実施形態では、底部４０８を形成するエッチング工程（即ち、バルク・エッチ工程後に実施するエッチ工程）は、単一の工程で実施し得る。別の実施形態では、底部４０８を形成するエッチング工程は複数の工程を含み得る。例えば、相互接続層１１０の残された部分を貫通してエッチングするために、１つのエッチング工程を使用可能である。次いで、バリア層１０８を貫通してエッチングし、かつ、バリア層を貫通するオーバーエッチ工程を実施するために、別のエッチ工程を使用し得る。オーバーエッチは当業者に周知の概念であり、導電材料及びバリア材料の少なくともいずれか一方の痕跡を、同材料の存在が望ましくない領域、即ち、保護フォトレジストのない領域から実質的に除去することを保証するために実施するエッチングを指す。更に別の例として、相互接続層１１０の残された部分を貫通してエッチングするために、１つのエッチング工程を使用し、バリア層１０８を貫通してエッチングするために、別のエッチング工程を使用し、バリア層を貫通するオーバーエッチ工程を実施するために、更に別のエッチ工程を使用し得る。
本発明の１つの態様に基づき、導電機構４０２の傾斜エッチ・フットを、バルク・エッチ・レシピに類似するレシピを使用して形成する（但し、傾斜エッチ・フットを形成するために、バルク・エッチ・レシピの１つ以上のパラメータを変更して使用する）。例えば、エッチ・フットの形成を促進するために、バルク・エッチ・レシピのエッチ速度を低下させ得る。学説に固執することを望むわけではないが、導電層エッチングは保護フォトレジスト機構（例：図４のフォトレジスト機構１１８）を時間の経過とともに侵食すると信じられている。エッチング中、侵食されたフォトレジスト材料の一部は、形成された導電機構（例：導電機構４０２）の側壁に沿って重合する。導電機構４０２全体にわたる垂直エッチ速度を低下させた場合、エッチング中の導電機構の側壁と、部分的にエッチングされた導電層の表面とが交差するコーナーなどで堆積する更に長い時間を、ポリマーは有する。この側方におけるポリマー堆積が増大することにより、この領域内の導電層は更に強力に保護される。この結果、エッチングを継続する間、導電層は更に低い異方性でエッチングされる。即ち、エッチングを導電層全体にわたって下方へ継続して行う間に、導電エッチ・フットが形成される。
これに代わるメカニズムまたは追加メカニズムとして、基板を載置した電極の温度が低下され得る。前と同様に学説に固執することを望むわけではないが、電極の温度（及びこれに付随してエッチング中の基板の温度も）を低下させることにより、ポリマー粒子が基板上に凝縮または凝結する速度が増大すると信じられている。ポリマー凝縮の増大によって、ポリマー堆積物が増大する。これによって、エッチ速度の低下に関連して前述した方法に類似する方法でのエッチ・フットの形成が促進される。１つの実施形態では、例えばバックサイド・ヘリウム冷却圧力を増大することによって、基板の温度を低下させ、これによって、加工中の基板及びチャックの間の伝熱速度を増大する。
更に別のメカニズムまたは追加メカニズムとして、エッチ・フットの形成を促進するために、基板を載置した電極のＤＣバイアスを増大し得る。この下側電極のバイアスを増大することにより、エッチのスパッタリング・コンポーネントが増大し、これによって、フォトレジスト侵食速度及びポリマー堆積速度がそれぞれ増大する。
図５は傾斜エッチ・フットを形成する本発明の１つの実施形態に基づくエッチ技術を示す。ステップ５０２では、上に横たわる導電層（例：図１の導電層１０６）の少なくとも一部をバルク・エッチ・レシピを使用してエッチングする。前記のように、基板スループットを増大するために、バルク・エッチ・レシピは導電層全体にわたるエッチ速度を最大限にすべく調製することが好ましい。これに加えて、またはこれに代えて、幾つかのケースでは、バルク・エッチ工程は実質的な異方性エッチ機構、即ち、実質的に垂直なエッチ側壁を形成するように調製され得る。ステップ５０４では、傾斜エッチ・フットを形成すべく調製したレシピを使用して、導電層の残された部分をエッチングする。１つの例では、相互接続層（例：図１の相互接続層１１０）を貫いてエッチングする前に、ステップ５０２を終了する。別の例では、ステップ５０２は、相互接続層（（例：図１の相互接続層１１０）を実質的に貫いてエッチングするために使用され得る。そして、ステップ５０４はバリア層（例：図１のバリア層１０８）を貫いてエッチングするために使用され得るとともに、オーバーエッチ工程として使用され得る。
１つの実施形態では、ステップ５０４で使用されるレシピは、ステップ５０２で使用されるレシピの１つ以上のバルク・エッチ・パラメータを変更してあるが、ステップ５０２で使用されるレシピと実質的に同じである。前記のように、導電層全体にわたるエッチ速度が低減されたとき、基板が載置された電極の温度が低減されたとき、及び下側電極のＤＣバイアスが増大されたときのうちの少なくともいずれか１つにおいて、傾斜エッチ・フットが形成される。傾斜エッチ・フットを実現するために、他のパラメータをステップ５０２のバルク・エッチで使用するパラメータから変更しても良い。
前記のように、傾斜エッチ・フットを形成するために調製したエッチング工程は１つ以上の独立したエッチング工程を含み得る。例えば、バルク・エッチを完了した後、相互接続層（例：図１の相互接続層１１０）の残された部分を貫いてエッチングするために、別のエッチング・レシピを使用し得る。更に、別のバリア・エッチ・レシピを、バリア層（例：図１のバリア層１０８）を貫いてエッチングするために使用するとともに、オーバーエッチ・レシピとして使用し得る。図６はこの実施形態を示しており、図５の傾斜エッチ・フット・エッチ・ステップ５０４を２つの独立したエッチング・ステップ６０２，６０４で達成している。図６において、ステップ６０２及びステップ６０４の少なくともいずれか一方は傾斜エッチ・フットを形成するために調製されたエッチ工程に相当することが好ましい。
別の実施形態では、オーバーエッチ工程を実施するために、別のエッチ・レシピを使用し得る。図７は別の実施形態を示しており、図５の傾斜エッチ・フット・エッチ・ステップ５０４を３つの独立したステップによって達成している。ステップ７０２では、傾斜エッチ・フットを形成すべく調製したレシピを好ましくは使用して、相互接続層の残された部分（図５のステップ５０２の後で残された部分）をエッチングする。
ステップ７０４では、バリア・エッチ・レシピを使用してバリア層（例：図１のバリア層１０８）がエッチングされる。ステップ７０２によって傾斜エッチ・フットが既に形成されていることがある。このため、ステップ７０４で使用されるバリア・エッチ・レシピを、傾斜エッチ機構をバリア層内に形成すべく調製することは常に必要ではない。比較的薄いバリア層を有する積層体の場合、これは特に事実である。しかし、１つの実施形態では、傾斜エッチ・フットを更に拡大するか、または実質的に維持するように、ステップ７０４で使用されるバリア・エッチ・レシピを調製し得る。ステップ７０６では、導電材料の全ての痕跡を、導電材料の存在が望ましくない領域（例：エッチングされた複数の機構の間の領域及びオープン・フィールド領域）から除去するために、別のオーバーエッチ・レシピが使用され得る。
エッチングによって設けられた導電機構上における傾斜エッチ・フットの形成に適した複数のパラメータの大まかな範囲を以下に詳述する。これらのパラメータの範囲はＴｉ、ＴｉＮまたはＴｉＷを含むバリア層を有し得るアルミニウム合金導電層のエッチングに適する。フッ素化学のケースでは、任意のバリア層は例えばＷまたはＴｉＷを含み得る。パラメータの適切な範囲はＴＣＰ９６００ＳＥプラズマ反応装置内の１００ｍｍウェハ及び２００ｍｍウェハに関連して以下に開示する。しかし、ここに開示するエッチ技術を他の大きさのウェハ及び他のエッチ反応装置（プラズマを使用するか否かは関係ない）の少なくともいずれか一方へ適合させることを当業者が実施できるようにするガイドラインとして、これらの範囲を使用する必要がある。
ＴＣＰ９６００ＳＥプラズマ反応装置内で、塩素化学を使用してエッチングした１００ｍｍウェハ
塩素化学を使用してエッチングした１００ｍｍウェハの場合、エッチャント・ソース・ガス（標準立方センチメートル毎分）の総流量は、約４０標準立方センチメートル毎分（ｓｃｃｍ）及び約１５０ｓｃｃｍの間であり、より好ましくは約４０ｓｃｃｍ及び約２００ｓｃｃｍの間であり、好ましくは約７０ｓｃｃｍである。ＢＣｌ3に対するＣｌ2の比率は約０．２５及び約２．０の間であり、より好ましくは約０．５及び約１．３の間であり、好ましくは約１．０である。
ＴＣＰ電力は約２００ワット（Ｗ）及び約５００Ｗの間であり、より好ましくは約３５０Ｗ及び約４５０Ｗの間であり、好ましくは約４７５Ｗである。底部電極電力に対するＴＣＰ電力の比率は約１．１５及び約３．０の間であり、より好ましくは約１．２及び約１．４５の間であり、最も好ましくは約１．３５である。
ミリトリ（ｍＴ）で表されるチャンバ内部の圧力は、約４ｍＴ及び約２５ｍＴの間であり、より好ましくは約８ｍＴ及び約１５ｍＴの間であり、最も好ましくは約１０ｍＴである。トル（Ｔ）で表されるバックサイド・ヘリウム冷却圧力は０トル（Ｔ）及び約２０Ｔの間であり、より好ましくは約８Ｔ及び約１２Ｔの間であり、最も好ましくは約１０Ｔである。
更に、ポリマー堆積促進ガスを提供し得る。１つの実施形態では、窒素（Ｎ2）を約３ｓｃｃｍ及び約２５ｓｃｃｍの間で、より好ましくは約５ｓｃｃｍ及び約１０ｓｃｃｍの間で、最も好ましくは約５ｓｃｃｍで供給する。これに加えて、またはこれに代えて、酸素（Ｏ2）を約３ｓｃｃｍ及び約１５ｓｃｃｍの間で、より好ましくは約３ｓｃｃｍ及び約５ｓｃｃｍの間で、最も好ましくは約４ｓｃｃｍで任意にて提供し得る。更に、前記のガスに加えて、または前記のガスに代えて、過フッ化炭化水素ガス（例：任意のフレオン・ガス）を約３ｓｃｃｍ及び約１５ｓｃｃｍの間で、より好ましくは約３ｓｃｃｍ及び約１０ｓｃｃｍの間で、最も好ましくは約５ｓｃｃｍで加え得る。更に、前記のガスに加えて、または前記のガスに代えて、炭化水素ガス（例：メタン）を約３ｓｃｃｍ及び約１５ｓｃｃｍの間で、より好ましくは約３ｓｃｃｍ及び約１０ｓｃｃｍの間で、最も好ましくは約４ｓｃｃｍで加え得る。
ＴＣＰ９６００ＳＥプラズマ反応装置内で、フッ素化学を使用してエッチングした１００ｍｍウェハ
１つの実施形態では、塩素化学の代わりに、または塩素化学に加えて、フッ素化学を使用し得る。フッ素化学を使用する場合、塩素化学に関連して述べたパラメータ（例：チャンバ圧力、バックサイド・ヘリウム冷却圧力及びポリマー堆積促進ガス）を適用し得る。しかし、フッ素化学のためのＲＦ電力は約２００Ｗ及び約６００Ｗの間であり、より好ましくは約４００Ｗ及び約５００Ｗの間であり、最も好ましくは約５００Ｗである。
底部電極電力に対するＴＣＰ電力の比率は、約２及び約２４の間であり、より好ましくは約２．５及び約６の間であり、最も好ましくは約３である。エッチャント・ガスの総量（ｓｃｃｍ）は約３０ｓｃｃｍ及び約１００ｓｃｃｍの間であり、より好ましくは約４０ｓｃｃｍ及び約６０ｓｃｃｍの間であり、最も好ましくは約５０ｓｃｃｍである。ＢＣｌ3に対するＳＦ6の比率は約０．５及び約４．０の間であり、より好ましくは約１．０及び約３．０の間であり、最も好ましくは約１．２である。塩素（Ｃｌ2）をガス総流量の約１％及び約６０％の間で、より好ましくは約１０％及び約３０％の間で、好ましくは約２０％で任意にて加え得る。ポリマー堆積促進ガスをさらに提供し得る。例えば、窒素（Ｎ2）を約５ｓｃｃｍ及び約１０ｓｃｃｍの間で、より好ましくは約５ｓｃｃｍで提供し得る。
ＴＣＰ９６００ＳＥプラズマ反応装置内で、塩素化学を使用してエッチングした２００ｍｍウェハ
１つの実施形態では、ＴＣＰのＲＦ電力は約２５０Ｗ及び約７００Ｗの間であり、より好ましくは約４００Ｗ及び約５５０Ｗの間であり、最も好ましくは約４５０Ｗである。底部電極電力に対するＴＣＰ電極電力の比率は約１．１５及び約３．０の間であり、より好ましくは約１．２及び約１．４５の間であり、最も好ましくは約１．２である。
エッチャント・ソース・ガスの総量は約４０ｓｃｃｍ及び約４００ｓｃｃｍの間であり、より好ましくは約４０ｓｃｃｍ及び約２００ｓｃｃｍの間であり、最も好ましくは約１００ｓｃｃｍである。ＢＣｌ3に対するＣｌ2の比率は約０．２５及び約２．０の間であり、より好ましくは約０．５及び約１．３の間であり、最も好ましくは約０．６である。チャンバ内部圧力は約４ミリトル（ｍＴ）及び約２５ｍＴの間であり、より好ましくは約８ｍＴ及び約１５ｍＴの間であり、最も好ましくは約１０ｍＴである。バックサイド・ヘリウム冷却圧力は約０Ｔ及び約２０Ｔの間であり、より好ましくは約８Ｔ及び約１２Ｔの間であり、最も好ましくは約１２Ｔである。
更に、ポリマー堆積促進ガスを提供し得る。例えば、窒素（Ｎ2）を約５ｓｃｃｍ及び約１０ｓｃｃｍの間で、より好ましくは約５ｓｃｃｍで提供し得る。
ＴＣＰ９６００ＳＥプラズマ反応装置内で、フッ素化学を使用してエッチングした２００ｍｍウェハ
１００ｍｍウェハの例同様に、塩素化学エッチ工程の代わりに、または塩素化学エッチ工程に加えて、フッ素化学を使用し得る。フッ素化学のケースでは、２００ｍｍウェハ塩素エッチの例に関連する特定のパラメータ（例：チャンバ内部圧力及びバックサイド・ヘリウム冷却圧力）を使用し得る。但し、ＴＣＰのＲＦ電力は約２００Ｗ及び約７００Ｗの間であり、より好ましくは約４００Ｗ及び約６００Ｗの間であり、最も好ましくは約６００Ｗである。底部電極電力に対するＴＣＰ電力の比率は約２及び約２４の間であり、より好ましくは約２．５及び約６の間であり、最も好ましくは約３である。
エッチャント・ソース・ガスの総量は約５０ｓｃｃｍ及び約１５０ｓｃｃｍの間であり、より好ましくは約６０ｓｃｃｍ及び約１００ｓｃｃｍの間であり、最も好ましくは約８０ｓｃｃｍである。ＢＣｌ3に対するＳＦ6の比率は約０．０５及び約４．０の間であり、より好ましくは約１．０及び約３．０の間であり、最も好ましくは約２．２である。Ｃｌ2を約１ｓｃｃｍ及び約２５ｓｃｃｍの間で、より好ましくは約１ｓｃｃｍ及び約１５ｓｃｃｍの間で、最も好ましくは約１０ｓｃｃｍで任意にて加え得る。
更に、ポリマー堆積促進ガスを提供し得る。例えば、窒素（Ｎ2）を約３ｓｃｃｍ及び約２５ｓｃｃｍの間で、より好ましくは約５ｓｃｃｍ及び約１５ｓｃｃｍの間で、最も好ましくは約１０ｓｃｃｍで提供し得る。これに代えて、またはこれに加えて、酸素（Ｏ2）を約３ｓｃｃｍ及び約１５ｓｃｃｍの間で、より好ましくは約５ｓｃｃｍ及び約１０ｓｃｃｍの間で加え得る。他のポリマー堆積促進ガスに代えて、または他のポリマー堆積促進ガスに加えて使用できる任意のフレオン及び炭化水素に関する同様の数値範囲が存在する（例：約３ｓｃｃｍ及び約１５ｓｃｃｍの間、より好ましくは約５ｓｃｃｍ及び約１０ｓｃｃｍの間）。
フッ素化学のケースでは、チャンバ圧力は約４ミリトル（ｍＴ）及び約２５ｍＴの間であり、より好ましくは約８ｍＴ及び約１５ｍＴの間であり、最も好ましくは約１２ｍＴである。バックサイド・ヘリウム冷却圧力は約０Ｔ及び約２０Ｔの間であり、より好ましくは約８Ｔ及び約１２Ｔの間であり、最も好ましくは約１２Ｔである。
例
例１
サンプル・エッチでは、バリア層としての１，５００オングストロームのＴｉＷと、５，５００オングストロームのＡｌ−Ｓｉ−Ｃｕを含む上に横たわる相互接続層と、２５０オングストロームのＴｉＮを含む上に横たわる反射防止コーティング（ＡＲＣ）層とを有する２００ｍｍウェハをＴＣＰ９６００ＳＥプラズマ反応装置内で加工した。バルク・エッチに使用したケミストリはＣｌ2及びＢＣｌ3を含む。傾斜エッチ・フット・エッチ工程に使用したケミストリはＳＦ6及びＮ2をさらに含む。
安定化工程では、チャンバ内の圧力は約１２ミリトルであり、バックサイド・ヘリウム圧力は約５トルである。Ｃｌ2エッチャント・ソース・ガス及びＢＣｌ3エッチャント・ソース・ガスはそれぞれ約８０ｓｃｃｍ及び約４０ｓｃｃｍで流した。圧力（チャンバ圧力及びバックサイド冷却圧力の少なくともいずれか一方）及びプラズマ反応装置内のガス流量状態が安定化した際、安定化工程は終了する。
突破及びアルミニウム・バルク・エッチ工程では、バックサイド・ヘリウム冷却圧力（約５トル）同様に、反応装置・チャンバ内の圧力（約１２ミリトル）を同じに維持した。頂部ＴＣＰ電極電力は約５００Ｗであり、底部電極電力は約３５０Ｗである。Ｃｌ2ガス流量及びＢＣｌ3ガス流量はそれぞれ約８０ｓｃｃｍ及び約４０ｓｃｃｍである。例えば２６１ｎｍ光エミッションを監視することによって、アルミニウム・エンドポイントが検出された際、この突破及びアルミニウム・バルク・エッチ工程は終了する。
次いで、同じチャンバ内部圧力（約１２ミリトル）及び同じＲＦ電力（ＴＣＰ電力及び底部電極電力はそれぞれ約５００Ｗ及び約３５０Ｗ）を使用して、アルミニウム・オーバーエッチ及びクリーンアップ工程を実施する。このアルミニウム・オーバーエッチ／クリーンアップ工程におけるＣｌ2ガス流量及びＢＣｌ3ガス流量はそれぞれ約５０ｓｃｃｍである。バックサイド・ヘリウム冷却圧力は約１２トルである。オーバーエッチ工程は８０％オーバーエッチである。即ち、このオーバーエッチ・エッチング工程の継続時間は突破及びアルミニウム・バルク・エッチ工程の継続時間の約８０％である。
傾斜エッチ・フットをＴｉＷバリア層内に形成するために、ＲＦ電力、Ｃｌ2ガス流量及びＢＣｌ3ガス流量を変更する。例えば、傾斜エッチ・フット・エッチ工程では、ＴＣＰ電力及び底部電極電力はそれぞれ約６００Ｗ及び２００Ｗである。Ｃｌ2ガス流量及びＢＣｌ3ガス流量はそれぞれ約１０ｓｃｃｍ及び約２５ｓｃｃｍである。更に、ＳＦ6ガス流量を約５５ｓｃｃｍで提供する。ポリマー堆積促進Ｎ2を約１０ｓｃｃｍで流す。バックサイド・ヘリウム冷却圧力を約１２トルに維持し、チャンバ内部の圧力は約１２ミリトルとする。例えば７０３ｎｍ光エミッションを監視することによって、タングステン・エンドポイントを検出した際、傾斜エッチ・フット・エッチ工程は終了する。
ＴｉＷオーバーエッチ及びクリーンアップ・エッチ（１００％オーバーエッチ）を実施する。このＴｉＷオーバーエッチ工程では、内部チャンバ圧力を約１２ミリトルに維持し、バックサイド・ヘリウム冷却圧力を約５トルとする。ＴＣＰ電極及び底部電極のＲＦ電力をそれぞれ約６００Ｗ及び約２００Ｗで同じに維持する。実質的に、塩素ガスをＴｉＷオーバーエッチ工程で全く流さない。しかし、約２５ｓｃｃｍのＢＣｌ3及び約８０ｓｃｃｍのＳＦ6をＴｉＷオーバーエッチ工程中にチャンバ内へ流す。
例２
別のサンプル・エッチでは、バリア層としての１，０００オングストロームのＴｉＮと、７，５００オングストロームのＡｌ−Ｓｉ−Ｃｕを含む上に横たわる相互接続層と、２５０オングストロームのＴｉＮを含む上に横たわる反射防止コーティング（ＡＲＣ）層とを有する２００ｍｍウェハを、ＴＣＰ９６００ＳＥプラズマ反応装置内で加工した。
安定化工程では、内部チャンバ圧力は約１０ミリトルである。Ｃｌ2流量及びＢＣｌ3流量はそれぞれ約９０ｓｃｃｍ及び約６０ｓｃｃｍである。バックサイド・ヘリウム圧力は約５トルである。圧力（チャンバ圧力及びバックサイド冷却圧力の少なくともいずれか一方）及びプラズマ反応装置内のガス流量状態が安定化した際、安定化工程は終了する。
ＡＲＣ層を突破し、かつアルミニウム・バルク・エッチを実施するために、別のエッチ工程を使用する。この突破及びアルミニウム・バルク・エッチ工程では、チャンバ内の圧力は約１０ミリトルである。頂部ＴＣＰ電極及び底部電極のＲＦ電力はそれぞれ約５００Ｗ及び３５０Ｗである。塩素エッチャント・ソース・ガス及びＢＣｌ3エッチャント・ソース・ガスをそれぞれ約９０ｓｃｃｍ及び約６０ｓｃｃｍで流す。バックサイド・ヘリウム冷却圧力は約５トルである。アルミニウム・エッチ工程のエンドポイントを検出した際、突破及びアルミニウム・バルク・エッチは終了する。
別のエッチ工程では、傾斜エッチ・フットを形成し、かつ、オーバーエッチ工程を実施するために、エッチ・レシピを使用する。この工程では、チャンバ内の圧力は約１０ミリトルである。ＴＣＰ電極及び底部電極のＲＦ電力の設定はそれぞれ約４５０Ｗ及び約３７５Ｗである。Ｃｌ2エッチャント・ソース・ガス流量及びＢＣｌ3エッチャント・ソース・ガス流量はそれぞれ約４０ｓｃｃｍ及び約６０ｓｃｃｍである。バックサイド・ヘリウム冷却圧力は約１２トルである。１００％オーバーエッチを達成した際、このエッチ工程は終了する。
以上、本発明を幾つかの好ましい実施形態に関連して詳述したが、本発明の範囲に属する置換物、改良物及び等価物が存在する。本発明の方法及び装置を実現する多くの別の方法が存在し得ることに注意する必要がある。従って、本発明の趣旨及び範囲に属する全ての置換物、改良物及び等価物を含むことを以下の請求の範囲は意図している。
【図１】
0004451934.tif 000002
【図２】
0004451934.tif 000003
【図３】
0004451934.tif 000004
【図４】
0004451934.tif 000005
【図５】
0004451934.tif 000006
【図６】
0004451934.tif 000007
【図７】
0004451934.tif 000008